(57)【要約】  本発明は、「多面上映システム」の実現に活用される上映館構造物に関するものであり、上映館の内部に設けられる上映装備と、上映装備が観客席の方向に露出されることを遮断するためのカバーと、を備え、カバーの表面には映像が投射されることを特徴とする。【選択図】図１
2016531312.tif 000002
【特許請求の範囲】
【請求項１】
上映館の内部に設けられる上映装備と、
前記上映装備が観客席の方向に露出されることを遮断するためのカバーと、
を備え、
前記カバーの表面に映像が投射されることを特徴とする上映館構造物。
【請求項２】
前記上映装備は、上映館の壁面、底面又は天井面に設けられ、
前記カバーは、前記壁面、底面又は前記天井面及び前記上映装備の露出を遮断することを特徴とする請求項１に記載の上映館構造物。
【請求項３】
前記上映装備は、天井面に設けられ、
前記カバーは、ドーム状の表面を備えることを特徴とする請求項２に記載の上映館構造物。
【請求項４】
前記カバーの表面には、光学コーティング層が形成されることを特徴とする請求項１に記載の上映館構造物。
【請求項５】
前記上映館の内部に投射面が設けられ、
前記カバーの表面及び前記投射面には、互いに同期化した映像が投射されることを特徴とする請求項１に記載の上映館構造物。
【請求項６】
前記投射面及び前記カバーの表面には、互いに互いに異なるように補正された映像が投射されることを特徴とする請求項５に記載の上映館構造物。
【請求項７】
前記補正は、表面の形状差、色相差、色度差、明度差又は反射率差を考慮した映像補正であることを特徴とする請求項６に記載の上映館構造物。
【請求項８】
前記上映装備は投射装置であり、
前記投射装置は、前記カバーの上に映像を後方投射することを特徴とする請求項１に記載の上映館構造物。
【請求項９】
前記カバーには、後方投射のための後方スクリーンフィルムが形成されることを特徴とする請求項８に記載の上映館構造物。
【請求項１０】
前記カバーは、前記上映装備の全部又は一部が露出されることを遮断することを特徴とする請求項１に記載の上映館構造物。
【請求項１１】
前記カバーは、前記上映装備の一部を露出させる開口部を備えることを特徴とする請求項１０に記載の上映館構造物。
【請求項１２】
前記上映装備は投射装置であり、
前記投射装置は、前記開口部を介して投射面に映像を投射することを特徴とする請求項１１に記載の上映館構造物。
【請求項１３】
前記開口部は、電気的な制御により開閉されるように形成されることを特徴とする請求項１１に記載の上映館構造物。
【請求項１４】
前記上映装備は付加効果装置であり、
前記付加効果装置は、既に設定された視点で前記開口部を介して観客席の方向に露出されることを特徴とする請求項１１に記載の上映館構造物。
【請求項１５】
前記カバーの外縁には、グラデーション状の色相が形成されることを特徴とする請求項１に記載の上映館構造物。
【請求項１６】
前記グラデーション状の色相は、
前記カバーの色相及び隣の投射面の色相に基づいて形成されることを特徴とする請求項１５に記載の上映館構造物。
【請求項１７】
上映館の内部に設けられる上映装備と、
前記上映装備が観客席の方向に露出されることを遮断するためのカバーと、
を備えることを特徴とする上映館。
【請求項１８】
映像が投射される投射面と、
上映館の内部に設けられる上映装備が観客席の方向に露出されることを遮断するためのカバーと、
を備えるが、
前記カバーの表面及び前記投射面には、互いに同期化した映像が投射されることを特徴とする多面上映システム
【請求項１９】
前記カバーの表面には、光学コーティング層が形成されることを特徴とする請求項１８に記載の多面上映システム。
【請求項２０】
前記カバーの表面及び前記投射面には、互いに異なるように補正された映像が投射されることを特徴とする請求項１８に記載の多面上映システム。
【発明の詳細な説明】
【技術分野】
【０００１】
本発明は、上映館構造物及びこれを用いた「多面上映システム」に係り、更に詳しくは、上映装備（例えば、スピーカー、投射装置、フレーム構造など）が観客席の方向に露出されることを遮断し、表面に映像が投射されて、「多面上映システム」の実現に活用される上映館構造物に関する。
【背景技術】
【０００２】
従来は、劇場で映画、広告などの映像を再生するために、上映館の正面に配置された単一のスクリーンに２次元映像を投射していた。しかしながら、この種のシステム下では、観客は、平面的な（２次元）映像のみを鑑賞せざるを得なかった。
最近には、観客に立体感のある映像を提供する３次元映像に関する技術が開発されたが、３次元映像技術は、人間の左眼及び右眼に互いに異なる映像が入り、脳において合わせられる場合、平面の映像からも立体感が感じられる原理を利用するものであり、映像の撮影に際して互いに異なる偏光フィルターが取り付けられた２台のカメラを用い、映像の視聴に際して偏光フィルターが取り付けられた眼鏡などを着用して左眼及び右眼に互いに異なる映像が入るようにする。
【０００３】
しかしながら、この種の３次元技術は、ユーザーに立体感のある映像を提供するが、依然として単一スクリーンにおいて再生される映像を鑑賞するためのものに過ぎず、映像それ自体への没入度が低いという限界がある。なお、観客が感じる立体感の方向が単一のスクリーンが存在する方向に限定されてしまうという限界もある。
また、従来の３次元技術は、映像の視聴に際して偏光フィルターが取り付けられた眼鏡などを着用することを余儀なくされるため、映像を視聴する観客に不便さを与える虞があり、左眼及び右眼に人為的に互いに異なる映像を強制的に注入するため、敏感な観客は目眩やむかつきを感じる虞がある。
この理由から、単一のスクリーンに基づく従来の上映システムの問題を解消するためにいわゆる「多面上映システム」が提案されたが、ここで、「多面上映システム」とは、観客席の周りに複数の投射面を配置し、複数の投射面の上に同期化した映像を投射して、観客に立体感及び没入感を提供する技術を意味する。
【０００４】
一方、このような「多面上映システム」を実現するためには、複数の投射面が必須的である。このため、単一の投射面（伝統的なスクリーン）のみを備える従来の上映館にこのような「多面上映システム」を構築するためには、上映館の内部にさらなる投射面を設けることが必要である。
しかしながら、既に完工されている上映館の内部に「伝統的な白色又は銀色のスクリーン」を更に設けることは決して容易ではなく、数多くの工事を必要とする。なお、一部の特定の上映館においては、内部構造の特性からみて、スクリーンを更に設けることが不可能になる場合もある。
【０００５】
また、スクリーンを更に設けることなく、「上映館の構造面（壁面、底面、天井面など）それ自体」を投射面として活用しようとする場合にも、構造面の表面に設けられる多数の上映装備に起因して正常の投射面が実現されない。（上映館の構造面には図１に示すように様々な上映装備が設けられるため、上映館の構造面それ自体を投射面として活用する場合に、上映装備の外形により激しく歪んだ映像のみが実現されるためである。）
【０００６】
このため、上映館の内部に伝統的なスクリーンを更に設けなくても多面上映のための「複数の投射面」を実現することができ、構造面の表面に様々な上映装備が設けられた場合であっても、「正常の（映像の歪みが少ない）複数の投射面」を実現することのできる新規な技術が求められている。
本発明は、上述した問題を解消するためになされたものであって、上述した問題を解消するとともに、この技術分野において通常の知識を有する者が容易に想到し得ないさらなる技術要素を提供するために発明された。
【先行技術文献】
【特許文献】
【０００７】
【特許文献１】大韓民国公開特許第２０１２−００２０７９３号公報
【発明の概要】
【発明が解決しようとする課題】
【０００８】
本発明は、スクリーン（伝統的なスクリーン）を更に設けることなく、多面上映環境を造成することを解決課題とする。
また、本発明は、上映館の構造面に様々な映像装備が設けられる場合であっても、滑らかな投射面が形成されるようにすることを解決課題とする。
更に、本発明は、上述した解決課題に加えて、その他の明細書の記載から導き出されるさらなる課題を解消する。
【課題を解決するための手段】
【０００９】
上述した課題を解消するための本発明の一実施形態による上映館構造物は、上映館の内部に設けられる上映装備と、上映装備が観客席の方向に露出されることを遮断するためのカバーと、を備え、カバーの表面に映像が投射されることを特徴とする。
【００１０】
また、本発明の一実施形態による上映館構造物は、上映装備が、上映館の壁面、底面又は天井面に設けられ、カバーは、壁面、底面又は天井面及び上映装備の露出を遮断することが好ましい。
更に、本発明の一実施形態による上映館構造物は、上映装備が、天井面に設けられ、カバーは、ドーム状の表面を備えることが好ましい。
【００１１】
更にまた、本発明の一実施形態による上映館構造物は、カバーの表面に光学コーティング層が形成されることを特徴とする。
更にまた、本発明の一実施形態による上映館構造物は、上映館の内部に投射面が設けられ、カバーの表面及び投射面には、互いに同期化した映像が投射されることが好ましい。
【００１２】
更にまた、本発明の一実施形態による上映館構造物は、投射面及びカバーの表面には、互いに互いに異なるように補正された映像が投射されることを特徴とする。
更にまた、本発明の一実施形態による上映館構造物は、補正は、表面の形状差、色相差、色度差、明度差又は反射率差を考慮した映像補正であることが好ましい。
【００１３】
更にまた、本発明の一実施形態による上映館構造物は、上映装備が投射装置であり、投射装置は、カバーの上に映像を後方投射することを特徴とする。
更にまた、本発明の一実施形態による上映館構造物は、カバーには、後方投射のための後方スクリーンフィルムが形成されることが好ましい。
【００１４】
更にまた、本発明の一実施形態による上映館構造物は、カバーが、上映装備の全部又は一部が露出されることを遮断することを特徴とする。
更にまた、本発明の一実施形態による上映館構造物は、カバーが、上映装備の一部を露出させる開口部を備えることが好ましい。
【００１５】
更にまた、本発明の一実施形態による上映館構造物は、上映装備が投射装置であり、投射装置は、開口部を介して投射面に映像を投射することが好ましい。
更にまた、本発明の一実施形態による上映館構造物は、開口部が、電気的な制御により開閉されるように形成されることが好ましい。
【００１６】
更にまた、本発明の一実施形態による上映館構造物は、上映装備が付加効果装置であり、付加効果装置は、既に設定された視点で開口部を介して観客席の方向に露出されることが好ましい。
更にまた、本発明の一実施形態による上映館構造物は、カバーの外縁に、グラデーション状の色相が形成されることが好ましい。
更にまた、本発明の一実施形態による上映館構造物は、グラデーション状の色相が、カバーの色相及び隣の投射面の色相に基づいて形成されることが好ましい。
【００１７】
また、上述した課題を解消するための本発明の一実施形態による上映館は、上映館の内部に設けられる上映装備と、上映装備が観客席の方向に露出されることを遮断するためのカバーと、を備えることを特徴とする。
【００１８】
更に、上述した課題を解消するための本発明の一実施形態による多面上映システムは、映像が投射される投射面と、上映館の内部に設けられる上映装備が観客席の方向に露出されることを遮断するためのカバーと、を備えるが、カバーの表面及び投射面には、互いに同期化した映像が投射されることを特徴とする。
【００１９】
また、本発明の一実施形態による多面上映システムは、カバーの表面に、光学コーティング層が形成されることが好ましい。
更に、本発明の一実施形態による多面上映システムは、カバーの表面及び投射面に、互いに異なるように補正された映像が投射されることが好ましい。
【発明の効果】
【００２０】
本発明によれば、上映館の内部に「伝統的な白色又は銀色のスクリーン」を更に設けなくても映像が円滑に投射される投射面を更に形成することができる。具体的に、本発明によれば、既存の上映館の構造をそのまま維持した状態で、上映館の構造面に単なる「カバー」を更に設け、設けられた「カバー」の表面を用いて投射面を更に形成することができる。このため、このような単なる「カバー」を更に設けることにより、伝統的なスクリーンを更に設けなくても投射面の数を増大させることができる。
また、本発明によれば、上映館の内部の構造面に複雑に設けられた上映装備（スピーカー、照明装置、投射装置、特殊効果装置、骨格フレームなど）をそのまま維持した状態でも、正常の映像が激しく歪まない投射面を更に形成することができる。具体的に、本発明によれば、構造面の表面に設けられた上映装備を内部に収容する「カバー」を更に設け、更に設けられた「カバー」の表面に映像を投射することにより、既設の上映装備の設置位置を変更しなくても正常の（映像の激しい歪みがない）投射面が形成される。
【００２１】
更に、本発明によれば、更に設けられた「カバー」をドーム状に形成することができる。このため、本発明によれば、「カバー」を用いて「多面上映環境」を造成する場合に、１）複数の投射面を用いて観客席を取り囲み、２）一つの投射面の観点からも「カバー」のドーム形状それ自体を用いて観客席を取り囲むので、観客の映像への没入感を更に向上させることができる。
更に、本発明によれば、更に設けられた「カバー」の表面に光学コーティング層を更に形成することができる。このため、「カバー」の表面上において再生される映像の品質を高めることができ、異なる種類の投射面（例えば、伝統的なスクリーン）上において再生される映像との異質感も低減させることができる。
【００２２】
更にまた、本発明によれば、「カバーの表面」に投射される映像及び「異なる種類の投射面」に投射される映像を互いに異なるように補正することができる。具体的に、本発明によれば、「カバーの表面」と「異なる投射面の表面」との間の性質（色相、色度、形状、明るさ、反射率など）を考慮して、映像の補正を互いに異なるように行うことができ、このような動作を用いて映像間の異質感を低減させることができる。
更にまた、本発明によれば、「カバー」の外縁にグラデーション状の色相を形成することができる。このため、「カバー」の色相及び隣の投射面の色相が全く異なる場合であっても、境界近くにおける異質感を緩和させることができる。
更にまた、本発明は、当然のことながら、上述した効果に加えて、その他の明細書の記載から導き出される更なる効果も含む。
【図面の簡単な説明】
【００２３】
【図１】表面に上映装備が設けられる従来の構造面（天井面、壁面、底面など）の例を示す例示図である。
【図２】本発明の一実施形態による上映館構造物を示す例示図である。
【図３】本発明の一実施形態による上映館構造物をドーム状に形成したことを示す例示図である。
【図４】本発明の一実施形態による上映館構造物に光学コーティング層を形成したことを示す例示図である。
【図５】本発明の一実施形態による上映館構造物に開口部を形成したことを示す例示図である。
【図６】本発明の一実施形態による上映館構造物に開閉可能な開口部を形成したことを示す例示図である。
【図７】本発明の一実施形態による上映館構造物を用いて多面上映環境を造成したことを示す例示図である。
【図８】本発明の一実施形態による上映館の構造物にグラデーション状の色相を形成したことを示す例示図である。
【図９】本発明の一実施形態による多面上映システムに組み込まれる上映装備を示す構成図である。
【図１０】本発明の他の実施形態による上映館構造物を示す例示図である。
【図１１】本発明の更に他の実施形態による上映館構造物を示す例示図である。
【発明を実施するための形態】
【００２４】
以下、添付図面を参照して本発明の実施形態による上映館構造物及びこれを用いた「多面上映システム」について詳細に説明する。説明する実施形態は、本発明の技術思想を当業者が容易に理解できるように提供されるものであり、これらにより本発明が限定されない。また、添付図面に表示された事項は、本発明の実施形態を容易に説明するために図式化したものであり、実際に実現される形態とは異なる場合がある。
【００２５】
一方、後述する各構成部は、本発明を実現するための例に過ぎない。このため、本発明の他の実現においては、本発明の思想及び範囲を逸脱しない範囲内において他の構成部が使用可能である。また、各構成部は単にハードウェア又はソフトウェアの構成によってのみ実現されてもよいが、同じ機能をする様々なハードウェア又はソフトウェアの構成の組み合わせにより実現されてもよい。
また、ある構成要素を「備える」という表現は、「開放型の表現」であり、当該構成要素が存在することを単に指し示す表現であり、さらなる構成要素を排除するものと理解されてはならない。
【００２６】
更に、「第１、第２、第３」などの序数をはじめとする用語は、様々な構成要素を説明するのに使用可能であるが、これらの用語は、ある構成要素を他の構成要素から区別するために用いられ、これらの構成要素の属性がこれらの用語により限定されない。
また、ある構成要素が他の構成要素に「接続される」とか、「連結される」と言及されるときには、その他の構成要素に直接的に連結／接続されてもよいが、これらの間に他の構成要素が存在してもよいと理解されるべきである。
一方、本明細書において用いられる「構造面」という用語は、上映館の内部構造をなす表面を意味する。このような「構造面」には、上映館の内部に形成される天井面、底面、壁面などの様々な表面が含まれる。
【００２７】
更に、本明細書において用いられる「伝統的なスクリーン」という用語は、従来上映館に主として設けられていた白色スクリーン、灰白色スクリーン、銀色スクリーンなどを意味する。
更にまた、本明細書において用いられる「他の投射面」という用語は、本発明による上映館構造物により形成される投射面（後述するカバーの表面）を除く全ての投射面を指し示す用語である。このため、「他の投射面」には、伝統的なスクリーン、壁面など様々な投射面が含まれる。
【００２８】
以下、図２〜図４を参照して、本発明の一実施形態による上映館構造物について説明する。
図２を参照すると、本発明の一実施形態による上映館構造物は、上映館の内部に設けられる上映装備２００と、上映装備が観客席の方向に露出されることを遮断するためのカバー１００と、を備え、カバー１００の表面は映像が投射される投射面として活用される。
上映装備２００とは、上映それ自体のために又は上映を補助するために上映館の内部に設けられる様々な装備を意味する。
このような上映装備２００としては、投射装置、音響装置（スピーカーなど）、発光装置、送風機、香り噴射器、フォグマシン、暖房器、冷房器、レーザー装置、石鹸バブル発生装置、発光ダイオード（ＬＥＤ）、水噴射装置、振動装置、装置が設けられるフレーム構造、上映館の内部骨格構造など上映館の内部に形成される様々な装備が挙げられ、これらの例に加えて、上映館の構造面の上に形成される様々な装備が挙げられる。
【００２９】
一方、従来の上映館は、「伝統的なスクリーン」が設けられる正面以外の構造面（左側面、右側面、背面、底面、天井面など）にこれらの上映装備が設けられるため、当該構造面に「伝統的なスクリーン」を更に設けることが困難であった。また、当該構造面それ自体を投射面として活用しようとする場合にも、表面に設けられた上映装備（上映装備の物理的な外形）が引き起こす映像歪みに起因して、正常の投射面が実現されなかった。
本発明は、このような従来の上映館に、上映装備の外部露出を遮断するカバー１００を更に設け、「カバー１００の表面それ自体」を投射面として活用することにより、従来の上映館の構造を変化させたり、上映装備の設置位置を変更したりしなくても、滑らかな投射面（映像の歪みが少ない）を更に形成することができる。
【００３０】
カバー１００は、上述したとおり、上映装備が観客席の方向に露出されることを遮断するための構成要素である。具体的に、カバー１００は、構造面（壁面、天井面、底面など）の上に設けられた上映装備と観客席との間に形成されて、構造面又は上映装備が観客席の方向に露出されることを遮断するための構成要素である。
このようなカバー１００は、凹凸のない表面を備えることが好ましいが、このような凹凸のない表面に基づいて滑らかな投射面（映像の歪みが少ない投射面）の役割を果たすためである。このため、カバー１００は、上映装備２００及び構造面の露出を遮断した状態で、凹凸のない表面を用いてカバー用投射装置１５０が投射する映像を円滑に再生することができ、このような動作を用いて観客にさらなる映像を提供することができる。一方、カバー１００の表面に映像が投射される方向は、多種多様に構成される。例えば、カバー１００の外部からカバー１００の外部の表面に映像が投射（図２の実施形態）されてもよく、上映装備２００が収容された内部からカバー１００の内部の表面に映像が投射（図示せず）されてもよい。
【００３１】
また、カバー１００は、内部に空間が形成された蓋体状に形成され、上映館の構造面の上に着脱自在に形成される。このため、カバー１００は、空間を用いて上映装備を内部に収容することができ、装備を更に設ける必要がある場合であっても、カバー１００の着脱動作を用いて装備を更に収容することができる。
更に、カバー１００は、様々な形状の表面を備える。具体的に、カバー１００は、ドーム状、多角形状、円形状など様々な形状の表面を備える。カバーは、上映されるコンテンツ（映画、広告など）の特性又は上映館の特性に応じて様々な形状に製作されて上映館に適用される。
更にまた、カバー１００は、後述するが、光学コーティング層が形成された表面を備える。このため、このような光学コーティング層が形成された表面を用いて高品質の投射面を実現することができ、他の投射面との間において発生する異質感を低減させることができる。
【００３２】
更にまた、カバー１００は、後述するが、グラデーション状の色相を含む。具体的に、カバー１００の外縁部にはグラデーション状の色相が形成されるが、このようなグラデーション状の色相により、カバー１００の色相及び隣の投射面の色相が全く異なる場合であっても、境界近くにおける異質感が緩和される。
更にまた、カバー１００は、後述するが、開口部を更に備える。このため、このような開口部を介してカバーの内部に収容された上映装備２００の動作をカバー１００の外部に伝達することができる。例えば、カバー１００の内部に収容された投射装置が開口部を介して外部に配置された投射面に映像を投射するか、或いは、カバーの内部に収容された付加効果装置が開口部を介して付加効果（音響、香り、水噴射、風など）を外部に伝達する。
更にまた、カバー１００は、後述するが、電気的な制御により開閉される開口部を更に備える。このため、このような構成を用いて、基本的には映像が円滑に投射される密閉された表面を実現するが、必要に応じて、開口部を選択的に開閉して上映装備の動作を外部に伝達する。
【００３３】
更にまた、カバー１００の表面には、後述するが、同期化した映像が投射される。具体的に、カバー１００の表面には、上映館に設けられた投射面に投射される映像と同期化した映像が投射される。このため、カバー１００の表面は、上映館に設けられた投射面とともに多面上映環境を造成し、観客に同期化して一体感のある多面映像を提供する。
更にまた、カバー１００の表面には、後述するが、補正された映像が投射される。ここで、補正は、表面、色相、色度、明るさ、反射率、材質などを考慮した補正である。また、補正は、「カバー１００の表面」と上映館に設けられた投射面との間の性質差を考慮した補正である。具体的に、補正は、「カバーの表面」と投射面との間の性質差（色相差、色度差、明度差、反射率差、形状差、材質差など）を打ち消すための補正である。
【００３４】
図３を参照すると、本発明の一実施形態による上映館構造物は、特に、ドーム状に形成されるカバー１００を備える。
具体的に、本発明の一実施形態による上映館構造物は、天井面、底面、壁面などの構造面に形成されるカバー１００を備えるが、ここで、カバー１００は、好ましくは、図３に示すように、ドーム状に形成される表面を備える。
このため、本発明の一実施形態による上映館構造物は、ドーム状それ自体を用いて観客席を取り囲み、この状態で、ドーム状の表面（カバー１００の表面）に映像を投射するため、観客が感じる没入感を一層極大化させる。（観客が映像により取り囲まれているということを大きく感じるためである）。
特に、ドーム状のカバー１００の表面を用いて多面上映システムを実現する場合には、観客が複数の投射面により１次的に取り囲まれ、カバー１００が存在する特定の方向に対してもドーム状により２次的に取り囲まれるため、観客が感じる立体感及び没入感が更に極大化される。
【００３５】
図４を参照すると、本発明の一実施形態による上映館構造物は、カバー１００の表面に光学コーティング層１１０を形成する。
具体的に、本発明の一実施形態による上映館構造物は、カバー１００の表面に形成される光学コーティング層１１０を備え、このような光学コーティング層１１０を用いて、カバー１００の表面に高品質の映像を実現することができる。このため、本発明の一実施形態による上映館構造物は、このような光学コーティング層１１０を用いて上映館に設けられる他の投射面と略同じレベルの映像品質を実現することができ、このような品質の向上により、他の投射面の映像との間において発生する異質感が低減される。
光学コーティング層１１０は、カバー１００の表面の光学的な性質を向上させるための構成要素である。このような光学コーティング層１１０は、カバー１００の表面を滑らかな形状（凹凸のない形状）に変化させたり、カバー１００の表面材質を光学的な特性（偏光特性、反射率特性、散乱特性など）に優れた材質に変化させたりする。
【００３６】
一方、光学コーティング層１１０の形成は、様々な方式により行われるが、代表的に、光学塗料を塗布する方式により行われる。具体的に、光学的な特性を改善する光学塗料をカバー１００の表面に塗布して光学コーティング層１１０を形成する。ここで、光学塗料は、様々な種類又は様々な状態の物質を含んでなるが、例えば、光学的な性質を改善するためのパーティクル粒子及びパーティクル粒子のキャリアの役割を果たす流動体を含む。
パーティクル粒子とは、光学的な特性を改善するために光学コーティング層１１０に含まれる粒子を意味する。このようなパーティクル粒子には、光学的な性質を改善するための様々な微細粒子が含まれるが、例えば、反射特性に優れた金属粒子（例えば、アルミニウム）、光学性質に優れた誘電粒子（例えば、シリコン酸化物粒子、フルオロ化マグネシウム粒子など）が含まれる。一方、パーティクル粒子は、金属層（例えば、アルミニウム層など）又は誘電体層（例えば、シリコン酸化物層など）を備える光学基板を切断又は粉砕して形成する。すなわち、パーティクル粒子は、金属層又は誘電体層が形成された光学基板を物理的な方法を用いて小さい粒子に変形することにより形成される。
また、流動体は、パーティクル粒子を塗布可能にするキャリアの役割を果たす構成要素である。このような流動体は、様々な流動物質により構成されるが、好ましくは、ＰＶＣレジン、エナメル、ポリウレタン、アクリル樹脂、ラッカーなどの物質により構成される。
【００３７】
以下、図５を参照して、本発明の一実施形態による上映館構造物に開口部を形成した例について説明する。
図５を参照すると、カバー１００は、内部に収容された上映装備の一部を露出させる開口部１２０を備える。
このため、このような開口部１２０を介して、カバー１００の内部に収容された上映装備２００の動作が外部に伝達される。例えば、図５に示すように、カバー１００の内部に投射装置２２０又は発光装置２３０が収容された場合、開口部１２０を介して投射装置２２０が投射する映像又は発光装置２３０が投射する光が外部に伝達される。
【００３８】
一方、この場合、開口部１２０は、最小化したサイズに形成されることが好ましい。具体的に、上映装備２００の動作を外部に伝達するために必要な最小限の構成のみを外部に露出させるサイズに形成されることが好ましい。カバー１００の表面が投射面として活用される場合に、開口部１２０（開口部の物理的な形状により映像が歪まれる虞があるため、開口部１２０のサイズを最小化させることが必要である。このため、開口部１２０は、投射装置２２０のランプのみを外部に露出させるためのサイズ、発光装置２３０のランプのみを露出させるためのサイズなどの最小化した形状に形成されることが好ましい。
具体的に、図５を参照すると、本発明の一実施形態による上映館構造物は、投射装置２２０と、発光装置２３０などの上映装備２００を内部に収容するカバー１００を備えるが、カバー１００には、投射装置２２０のランプ又は発光装置２３０のランプを外部に露出させるための開口部１２０が形成される。また、開口部１２０は、投射装置２２０のランプ又は発光装置２３０のランプのみを外部に露出させる最小化したサイズに形成される。
【００３９】
このため、図５に示すように、カバー１００の表面に映像が投射されている状態でも、カバー１００の内部に収容された投射装置２２０が周りに配置された「他の投射面」の上に映像を投射することができる。（一方、図５の実施形態とは異なり、カバー１００の周りに他のカバーが配置される場合には、カバー１００の内部に収容された投射装置２２０が他のカバーの表面に映像を投射する）。
一方、カバー１００に開口部１２０が形成されている場合には、開口部１２０が最小化したサイズに形成されても、開口部１２０の存在により映像の歪みが生じる虞がある。このため、本発明においては、開口部１２０を備えるカバー１００の表面に補正された映像を投射する。具体的に、本発明は、開口部１２０が引き起こす歪み情報を分析した後に、開口部１２０により引き起こされる歪みを打ち消すように映像を補正する。例えば、本発明は、開口部１２０が映像の色相を歪ませる情報を分析して映像を補正するか、或いは、開口部１２０が表面の幾可学的形状を歪ませる情報を分析して形状を補正する。なお、本発明は、開口部１２０が引き起こす明度差、反射率差などの情報を分析して映像を補正する。
このような補正動作は、後述する管理装置を備える様々な装置により行われる。
【００４０】
以下、図６を参照して、本発明の一実施形態による上映館構造物に開閉可能な開口部を形成した例について説明する。
本発明の一実施形態による上映館構造物は、開閉可能な開口部１２０を備える。具体的に、本発明の一実施形態による構造物は、カバー１００の内部に収容された上映装備２００の動作を外部に伝達する必要があるときに開放され、上映装備の動作を外部に伝達する必要がないときに閉鎖される開口部１２０を備える。このため、このような開閉可能な開口部１２０を用いて、上映装備２００が外部に露出される時間を最小化させ、カバー１００の表面が最も滑らかな投射面を実現する時間を極大化させる。
【００４１】
このような開口部１２０は、様々な上映装備２００を選択的に外部に露出させる。具体的に、開口部１２０は、このような開閉動作を用いて、カバー１００の内部に収容される投射装置２２０、発光装置２３０、付加効果装置２４０などを特定の視点にのみ選択的に露出させる。
一方、本発明の一実施形態による上映館構造物は、カバー１００の内部に運動可能な付加効果装置２４０を収容する。具体的に、上映館構造物は、図６に示すように、運動可能なように（例えば、直線又は回転運動可能なフレームに固定されて、フレームの運動により運動可能なように）設けられる付加効果装置２４０を備える。このため、このような実施形態においては、開口部１２０が開放される場合には付加効果装置２４０が運動により観客席に完全に露出され、開口部１２０が閉鎖される場合には付加効果装置２４０が運動によりカバー１００の内部に完全に収容される。
【００４２】
参考までに、付加効果装置２４０は、映像以外の付加効果を実現するための装置であり、様々な上映装備により実現される。例えば、付加効果装置２４０は、再生される映像と整合される構造物を観客の視野に露出（例えば、宇宙空間において流星が落下する場面が再生されるとき、流星状の構造物を観客の視野に露出／飛行機が墜落する場面が再生されるとき、飛行機の残害（構造物）を観客の視野に露出）させる装置として構成されるか、或いは、これらの装置に加えて、スピーカー、送風機、香り噴射器、フォグマシン、発光装置、暖房器、冷房器、レーザー装置、バブル発生装置、発光ダイオード（ＬＥＤ）、水噴射装置など人間の五感に刺激を与える様々な装置として構成される。
一方、開口部１２０の開閉動作及び付加効果装置２４０の動作（運動）は、後述する管理装置をはじめとする様々な装置により制御される。この場合、開口部１２０の開閉動作及び付加効果装置２４０の動作は、カバー１００の表面に投射される映像又は他の投射面に投射される映像と連携されるように制御される。例えば、開口部１２０の開閉動作及び付加効果装置２４０の動作は、カバー１００の表面又は他の投射面に投射される映像データのタイムコードに基づいて制御され、タイムコード上の特定の視点で動作するように制御される。
【００４３】
本発明は、上述した上映館構造物を用いて「多面上映システム」を構築する。
まず、本発明は、上映館に設けられる複数の「他の投射面３００」及びカバー１００の表面を併用して「多面上映システム」を実現する。例えば、図７に示すように、正面、左側面、右側面及び底面に他の投射面３００を配置し、天井にはカバー１００を配置して、正面、左側面、右側面、底面、及び上側面（天井面）において映像が再生される「多面上映システム」を実現する。（参考までに、図７の実施形態において、天井の投射面をカバー１００により実現する理由は、通常、上映館の天井には様々な上映装備が複雑に設けられているため、滑らかな表面を有する投射面を実現し難いためである。）
また、本発明は、天井だけではなく、底面、左側面、右側面、正面又は背面の上に上映装備が複雑に設けられる場合には、底面、左側面、右側面、正面又は背面の上にも「他の投射面３００」ではないカバー１００を設ける。このため、このような実施形態においては、多面上映を実現するための複数の投射面のうち２以上の投射面をカバーを用いて実現する。
更に、本発明は、多面上映システムを実現するための全ての投射面をカバー１００を用いて実現する。例えば、上映館の正面、左側面、右側面、天井及び底面のすべてにカバー１００を形成し、複数のカバーを用いて複数の投射面をいずれも実現する。
【００４４】
一方、上述したとおり、「他の投射面３００」には、カバー１００の表面を用いて実現する投射面以外の様々な投射面が含まれる。具体的に、「他の投射面３００」には、「スクリーン」、「構造面」など映像が投射される様々な投射面が含まれる。
ここで、「スクリーン」は、プロジェクターなどにより投射される映像を反射させて観客に映像を鑑賞させる構成要素であり、このような機能を行う範囲内において種々に形成される。
例えば、スクリーンは、ＰＶＣスクリーン、白色がコーティングされたＰＶＣスクリーン、パール光沢がコーティングされたＰＶＣスクリーン、アルミニウムがコーティングされたＰＶＣスクリーン、マットスクリーン、レンチキュラースクリーン、ガラスビーズスクリーン、シルバースクリーン、ハイゲインスクリーンなどの様々な材質のスクリーンとして形成される。また、スクリーンは、電動埋込型スクリーン、電動露出型スクリーン、壁掛け型スクリーン、三角台型スクリーン、ロードウォリアースクリーン、高輝度スクリーン、サウンドスクリーンなどの様々なタイプのスクリーンとして形成される。更に、スクリーンは、ウォータースクリーン、フォグスクリーン、ホログラフィックスクリーン、ミラクルスクリーン（マジックガラスを用いたスクリーン）などのスクリーンとして形成され、これらに加えて各種多様なスクリーンとして形成される。
【００４５】
一方、スクリーンは、「伝統的なスクリーン」の範囲に属していない物体や、固有名称それ自体がスクリーンではない物体により形成される。（すなわち、特定の物体の固有名称それ自体がスクリーンではなくても、特定の物体の表面が映像投射面としての役割を果たす限り、物体はスクリーンの範囲に含まれる。）例えば、上映館の内部にパネル、カーテンなどの物体が設けられ、物体の表面映像が投射される限り、物体は固有名称とは無関係にスクリーンの範囲に含まれる。
また、「構造面」とは、上述したとおり、上映館の内部に形成される構造的な表面を意味し、天井面、底面、壁面（正面の壁面、左側面の壁面、右側面の壁面、背面の壁面など）など様々な表面が含まれる。
【００４６】
一方、本発明は、多面上映システムを構築した後に、複数の投射面の上に互いに同期化した映像を投射する。このため、本発明は、観客を取り囲むように配置される複数の投射面の上に同期化した映像を投射して、観客に映像が描かれる場面内に実際に入っているように感じさせる。
また、本発明は、多面上映システムを構築した後に、複数の投射面の上に互いに異なるように補正された映像を投射する。具体的に、１）本発明は、複数の投射面のうちの一部をカバー１００を用いて実現し、残りを「他の投射面３００」を用いて実現した場合に、カバー１００の表面と「他の投射面３００」との間の性質差（色相、色度、明るさ、形状、反射率など）を考慮してカバー１００の表面に投射される映像と「他の投射面３００」に投射される映像を互いに異なるように補正する。カバー１００の表面と「他の投射面３００」が互いに異なる性質を有する状態で、互いに同様に補正された映像を投射する場合、両投射面上において再生される映像が異質感を呼び起こし、これにより、観客の没入感が低下する虞があるためである。２）また、本発明は、複数の投射面に互いに異なる性質を有する２以上のカバー１００が含まれた場合には、２以上のカバー１００の表面に互いに異なるように補正された映像を投射する。３）更に、本発明は、複数の投射面に互いに異なる性質を有する２以上の「他の投射面３００」が含まれた場合には、２以上の「他の投射面３００」に互いに異なるように補正された映像を投射する。
要するに、本発明は、互いに異なる性質を有する複数の投射面を用いて多面上映システムを構築した場合に、複数の投射面に互いに異なるように補正された映像を投射する。
【００４７】
ここで、上記補正は、表面の形状差を考慮した補正である。すなわち、複数の投射面には、表面の形状差を考慮して互いに異なるように補正された映像の表面の形状差を打ち消すために互いに異なるように補正された映像が投射される。
また、上記補正は、色相差又は色度差を考慮した補正である。すなわち、複数の投射面には、表面の色相差又は色度差を考慮して互いに異なるように補正された映像表面の色相差又は色度差を打ち消すために互いに異なるように補正された映像が投射される。
更に、上記補正は、明度差を考慮した補正である。すなわち、複数の投射面には、表面の明度差を考慮して互いに異なるように補正された映像表面の明度差を打ち消すために互いに異なるように補正された映像が投射される。
更にまた、上記補正は、反射率差を考慮した補正である。すなわち、複数の投射面には、反射率差を考慮して互いに異なるように補正された映像反射率差を打ち消すために互いに異なるように補正された映像が投射される。
更にまた、上記補正は、上述した特徴に加えて、様々な特性の差を考慮した補正である。
【００４８】
一方、複数の投射面の性質差を考慮して複数の投射面に投射される映像を互いに異なるように補正するプロセスは、補正の目的が異質感の打ち消しにあるため、投射面間の「性質差を低減させるように」行われることが好ましい。
代表的に、複数の投射面の色度差情報を考慮する補正について説明すると、（後述するプロセスは、当然のことながら、色相差、明度差、反射率差、形状差などを考慮した補正にも類推されて適用される）、まず、各投射面の色度情報を考慮して、投射面間の色度差情報を算出するが、具体的に、一つの基準投射面を設定した後に、各投射面の相対的な色度差情報を算出する。例えば、「Ａ投射面は基準投射面に比べてＲ（赤色）の色度レベルが５０レベル高く、Ｇ（緑色）の色度レベルが４０レベル高く、Ｂ（青色）の色度レベルは同じである。」のような方式を用いて相対的な色度差情報を算出する。このようにして各投射面の色度差情報が算出された後には、算出された情報を用いて映像を補正するが、例えば、「Ａ投射面に投射される映像の色度をＲは５０レベル低め、Ｇは４０レベル低め、Ｂのレベルは維持」する方式を用いて補正する。このため、このようなプロセスにより投射面の色度差が打ち消される。
一方、複数の投射面の性質差の分析は、基準投射面の設定以外の方式を用いて様々に行われる。例えば、複数の投射面の性質に関する代表値（平均値、中央値、最頻値など）を算出した後に、算出した代表値を基準として相対的な特性差を分析する。
【００４９】
一方、本発明の一実施形態による多面上映システムは、外縁にグラデーション状の色相が形成されるカバー１００を備える。ここで、グラデーション状の色相は、カバー１００の色相及び隣の投射面の色相に基づいて形成されることが好ましい。例えば、カバー１００の色相が黒色であり、隣の投射面の色相が白色であるとしたとき、グラデーション色相は、黒色と白色との間の色相の変化を表現することが好ましい。
このため、本発明は、このようなグラデーション状の色相を用いて、カバー１００の表面及び「他の投射面３００」が互いに異なる色相の表面を有する場合に、投射面の境界において引き起こされる異質感を緩和させる。また、本発明は、多面上映システムが隣設される２以上のカバー１００を備え、２以上のカバー１００が互いに異なる色相である場合であっても、グラデーション状の色相を用いてカバー１００の境界において引き起こされる異質感を緩和させる。
【００５０】
図８を参照すると、このような実施形態の具体例が確認される。図８の多面上映システムは、正面、左側面、右側面に「他の投射面３００」を配置し、天井にカバー１００を配置したが、「他の投射面３００」及びカバー１００の表面が互いに異なる色相に形成されて、投射面の境界近くにおいて急激な異質感が引き起こされる虞があった。しかしながら、本発明は、カバー１００の外縁にグラデーション色相を形成して境界近くにおいて発生する急激な異質感を防ぐ。
一方、本発明の一実施形態による多面上映システムは、上述した複数の投射面に加えて、複数の投射面に映像を投射するための「２以上の投射装置」、上映過程中に付加効果を実現するための「付加効果装置」を更に備え、２以上の投射装置及び付加効果装置を制御するための管理装置を更に備える。また、本発明の一実施形態による多面上映システムは、２以上の投射装置及び付加効果装置に加えて、様々なその他の上映装備を備え、これらのその他の上映装備もまた管理装置により制御される。
【００５１】
図９を参照すると、多面上映システムに組み込まれる装置の例示が確認される。図９の実施形態において、多面上映システムは、カバーに映像を投射するためのカバー用投射装置１５０、カバー以外の「他の投射面」に映像を投射するための投射装置３２０を備え、上映過程において付加効果を実現するための付加効果装置３４０及びその他の上映装備も備える。なお、上映館に設けられる様々な装置を制御するための管理装置４００を備える。
２以上の投射装置は、複数の投射面に映像を投射するための装置であり、カバー１００に投射するカバー用投射装置１５０又は「他の投射面３００」に映像を投射するための投射装置３２０を備える。ここで、２以上の投射装置がカバー用投射装置１５０又は「他の投射面」用投射装置３２０を備える割合は、複数の投射面の構成比に応じて様々に構成される。
【００５２】
一方、２以上の投射装置が備えるカバー用投射装置１５０及び「他の投射面」用投射装置３２０は、映像を投射する対象が異なるため互いに区別可能であるが、ハードウェア的には同様に構成される。具体的に、カバー用投射装置１５０及び「他の投射面」用投射装置３２０は、投射面に映像を投射する様々な形状に実現される。例えば、投射装置は、陰極線管（ＣＲＴ）を用いる方式、液晶ディスプレイ（ＬＣＤ）を用いる方式、デジタルミラーデバイス（ＤＭＤ：Ｄｉｇｉｔａｌ  Ｍｉｃｒｏｍｉｒｒｏｒ  Ｄｅｖｉｃｅ）チップを用いるデジタル光処理（Ｄｉｇｉｔａｌ  Ｌｉｇｈｔ  Ｐｒｏｃｅｓｓｉｎｇ；ＤＬＰ）方式、反射型液晶素子（ＬｃｏＳ：Ｌｉｑｕｉｄ  Ｃｒｙｓｔａｌ  ｏｎ  Ｓｉｌｉｃｏｎ）方式などにより実現され、このような方式に加えて、種々に実現される。
付加効果装置３４０は、複数の投射面に投射される映像以外の付加効果を実現するための装置である。具体的に、付加効果装置３４０は、観客が公演を観覧するときに感じる没入感及び現実感を高めるために、視覚的な効果を与えたり、視覚以外の他の感覚として感じる効果を与えたりする装置である。このような付加効果装置３４０が提供する付加効果には、視覚効果（例えば、映像と整合される構造物を提示する）、音効果、風効果、匂い効果、霧効果、温度変化効果、レーザー効果、発光効果、バブル効果、水噴射効果などが含まれ、これらの効果に加えて、人間の五感に関する様々な効果が含まれる。
このため、付加効果装置３４０は、スピーカー、送風機、香り噴射器、フォグマシン、発光装置、暖房器、冷房器、レーザー装置、バブル発生装置、発光ダイオード（ＬＥＤ）、水噴射装置など人間の五感に刺激を与える様々な装置により構成される。
【００５３】
また、付加効果装置３４０は、再生される映像と整合される構造物を観客の視野に露出（例えば、宇宙空間において流星が落下する場面が再生されるとき、流星状の構造物を観客の視野に露出／飛行機が墜落する場面が再生されるとき、飛行機の残害（構造物）を観客の視野に露出）させる装置により構成される。
一方、「他の投射面」用投射装置３２０及び付加効果装置３４０は、上映館の内部における様々な位置に設けられるが、好ましくは、カバー１００の内部に収容された状態で設けられる。具体的に、「他の投射面」用投射装置３２０及び付加効果装置３４０が、図５及び図６に示すように、カバーの内部に収容された投射装置２２０及び付加効果装置２４０の形態に設けられる。このため、このような構造により、「他の投射面」用投射装置及び付加効果装置が観客に露出されず、観客が感じる没入感が一層向上する。（散在された装備が観客に露出されないため、観客の注意分散が低減され、没入感が向上する。）
管理装置４００は、２以上の投射装置、付加効果装置を備える上映館に設けられる様々な上映装備を制御するための装置である。
このような管理装置４００は、上述した２以上の投射装置の動作、付加効果装置の動作を制御する。また、管理装置４００は、カバー１００が電気的な制御により開閉される開口部１２０を備える場合に、開口部１２０の開閉動作を制御する。更に、管理装置４００は、このような装置の動作に加えて、上映館に設けられる様々な装置の動作を制御する。
【００５４】
また、管理装置４００は、複数の投射面に投射される映像を管理し、複数の投射面の性質差を考慮して複数の投射面に投射される映像を補正する動作も行う。
更に、管理装置４００は、２以上の投射装置が互いに同期化した状態で動作するように制御するか、或いは、付加効果装置が映像データと同期化した状態で動作するように制御する。この場合、管理装置は、映像データのタイムコードに基づいて同期化制御動作を行う。
【００５５】
一方、管理装置４００は、様々な電子装置により実現されるが、一つの電子装置により実現されてもよく、複数の電子装置が互いに接続されて実現されてもよい。例えば、管理装置４００は、一つのサーバー装置により実現されてもよく、２以上のサーバーが互いに接続されて実現されてもよい。また、管理装置は、サーバー及び他の電子装置が互いに接続されるように実現されてもよく、サーバー以外の他の演算装置により実現されてもよい。
また、管理装置は、無線又は有線通信装置を備え、無線又は有線通信網を介して外部の装置と連動されて動作する。
【００５６】
以下、図１０を参照して、本発明の他の実施形態による上映館構造物及びこれを用いた多面上映システムについて説明する。
（重複記載を防ぐために相違点のみについて説明する。このため、別途の説明がなくても、上述した技術内容は、以下の実施形態から類推されて適用される。）
図１０を参照すると、本発明の他の実施形態による多面上映館構造物は、上映装備が後方投射動作を行う投射装置２２０により構成され、カバー１００が後方投射面の役割を果たす。
すなわち、本発明の他の実施形態による上映館構造物は、投射装置２２０が観客に露出されない状態でカバー１００の内部に配置され、後方投射動作を用いてカバー１００の表面に映像を実現する。
このため、本発明の他の実施形態による上映館構造物が備えるカバー１００には、図１０に示すように、後方スクリーンフィルム１６０が形成されることが好ましく、カバー１００は、映像の伝達のために透明な材質により形成されることが好ましい。また、実施形態によっては、別途のカバーを形成することなく、後方スクリーンフィルム１６０それ自体をカバーとして活用してもよい。
【００５７】
以下、図１１を参照して、本発明の更に他の実施形態による上映館構造物及びこれを用いた多面上映システムについて説明する。
（重複記載を防ぐために相違点のみについて説明する。このため、別途の説明がなくても、上述した技術内容は、以下の実施形態から類推されて適用される。）
本発明の更に他の実施形態による多面上映構造物は、上述した開口部１２０の運動だけではなく、カバー１００それ自体が運動するように形成される。例えば、本発明の更に他の実施形態による多面上映構造物は、図１１に示すように、カバー１００が接合部（及びアクチュエータ）などを用いて運動するように形成される。
【００５８】
このため、このような実施形態においては、カバー１００の選択的な運動により、カバー１００に収容された上映装備がいずれも露出される虞があるため、上映装備のメンテナンス作業を行うことが非常に容易である。
一方、カバー１００に収容される投射装置２２０などの上映装備は、連結フレーム（バトンなど）により運動するように実現され、カバー１００の運動と同期化してもよく、又はそれぞれ別々に運動してもよい。
【００５９】
本発明の実施形態は単なる例示のために開示されたものであり、本発明が属する技術分野における通常の知識を有する者が本発明の技術思想の範囲内において修正、変更、付加可能な部分までこの特許請求の範囲に属するものと見なすべきである。
【符号の説明】
【００６０】
１００：カバー
１１０：光学コーティング層
１２０：開口部
１３０：グラデーション状の色相
１５０：カバー用投射装置
１６０：後方スクリーンフィルム
２００：上映装備
２２０：（カバー内部に収容された）投射装置
２３０：発光装置
２４０：（カバー内部に収容された運動可能な）付加効果装置
３００：他の投射面
３２０：（他の投射面用）投射装置
３４０：付加効果装置
４００：管理装置
【図１】
2016531312.tif 000003
【図２】
2016531312.tif 000004
【図３】
2016531312.tif 000005
【図４】
2016531312.tif 000006
【図５】
2016531312.tif 000007
【図６】
2016531312.tif 000008
【図７】
2016531312.tif 000009
【図８】
2016531312.tif 000010
【図９】
2016531312.tif 000011
【図１０】
2016531312.tif 000012
【図１１】
2016531312.tif 000013
【国際調査報告】
2016531312.tif 000014
2016531312.tif 000015